(57)【要約】【課題】ユーザが、所定の機能が予め設定されているキーを他の所望のキーに変更した場合に、そのキーをユーザが容易に認識できる情報処理端末装置、情報処理端末装置の制御方法及びプログラムを提供する。【解決手段】ユーザが各種操作を行うための複数のキーを有する情報処理端末装置であって、所定のキーに予め割り当てられている所定の機能を、ユーザが所望する他のキーに割り当てる割り当て変更手段と、割り当て変更手段で所定の機能が割り当てられたキーを、ユーザに対して報知するための報知手段と、を有することを特徴とする。【選択図】図１
2008176719.tif 000002
【特許請求の範囲】
【請求項１】
ユーザが各種操作を行うための複数のキーを有する情報処理端末装置であって、
所定のキーに予め割り当てられている所定の機能を、前記ユーザが所望する他のキーに割り当てる割り当て変更手段と、
前記割り当て変更手段で前記所定の機能が割り当てられたキーを、前記ユーザに対して報知するための報知手段と、
を有することを特徴とする情報処理端末装置。
【請求項２】
前記報知手段は、
前記割り当て変更手段で前記所定の機能が割り当てられたキーを明示する文言の表示、及び、前記割り当て変更手段で前記所定の機能が割り当てられたキーに対応して設けられたバックライトの点灯のうち少なくとも１つにより報知することを特徴とする請求項１記載の情報処理端末装置。
【請求項３】
前記割り当て変更手段が、複数の機能を前記ユーザが所望する複数のキーにそれぞれ割り当て、かつ、前記報知手段が、前記複数の機能がそれぞれ割り当てられた複数のキーに対応して設けられた各バックライトの点灯により報知する場合、
前記報知手段は、
前記各バックライトの光量及び色調のうち少なくとも１つがそれぞれ異なるように該各バックライトの点灯を制御することを特徴とする請求項２記載の情報処理端末装置。
【請求項４】
前記所定の機能は、カメラ撮影におけるシャッター機能であることを特徴とする請求項１又は２記載の情報処理端末装置。
【請求項５】
前記複数の機能は、カメラ撮影におけるフラッシュのオン機能及びオフ機能であることを特徴とする請求項３記載の情報処理端末装置。
【請求項６】
ユーザが各種操作を行うための複数のキーを有する情報処理端末装置の制御方法であって、
所定のキーに予め割り当てられている所定の機能を、前記ユーザが所望する他のキーに割り当てる割り当て変更ステップと、
前記割り当て変更ステップで前記所定の機能が割り当てられたキーを、前記ユーザに対して報知するための報知ステップと、
を有することを特徴とする情報処理端末装置の制御方法。
【請求項７】
前記報知ステップは、
前記割り当て変更ステップで前記所定の機能が割り当てられたキーを明示する文言の表示、及び、前記割り当て変更ステップで前記所定の機能が割り当てられたキーに対応して設けられたバックライトの点灯のうち少なくとも１つであることを特徴とする請求項６記載の情報処理端末装置の制御方法。
【請求項８】
前記割り当て変更ステップで複数の機能を前記ユーザが所望する複数のキーにそれぞれ割り当て、かつ、前記報知ステップで前記複数の機能がそれぞれ割り当てられた複数のキーに対応して設けられた各バックライトの点灯により報知する場合、
前記報知ステップは、
前記各バックライトの光量及び色調のうち少なくとも１つがそれぞれ異なるように該各バックライトの点灯を制御することを特徴とする請求項７記載の情報処理端末装置の制御方法。
【請求項９】
前記所定の機能は、カメラ撮影におけるシャッター機能であることを特徴とする請求項６又は７記載の情報処理端末装置の制御方法。
【請求項１０】
前記複数の機能は、カメラ撮影におけるフラッシュのオン機能及びオフ機能であることを特徴とする請求項８記載の情報処理端末装置の制御方法。
【請求項１１】
ユーザが各種操作を行うための複数のキーを有する装置を制御するためのプログラムであって、
所定のキーに予め割り当てられている所定の機能を、前記ユーザが所望する他のキーに割り当てる割り当て変更処理と、
前記割り当て変更処理で前記所定の機能が割り当てられたキーを、前記ユーザに対して報知するための報知処理と、
を前記装置に実行させることを特徴とするプログラム。
【請求項１２】
前記報知処理として、
前記割り当て変更処理で前記所定の機能が割り当てられたキーを明示する文言を表示する処理、及び、前記割り当て変更処理で前記所定の機能が割り当てられたキーに対応して設けられたバックライトを点灯する処理のうち少なくとも１つを前記装置に実行させることを特徴とする請求項１１記載のプログラム。
【請求項１３】
前記割り当て変更処理で複数の機能を前記ユーザが所望する複数のキーにそれぞれ割り当てる処理を前記装置に実行させ、かつ、前記報知処理で前記複数の機能がそれぞれ割り当てられた複数のキーに対応して設けられた各バックライトを点灯する処理を前記装置に実行させる場合、
前記報知処理として、
前記各バックライトの光量及び色調のうち少なくとも１つがそれぞれ異なるように制御して該各バックライトを点灯する処理を前記装置に実行させることを特徴とする請求項１２記載のプログラム。
【請求項１４】
前記所定の機能は、カメラ撮影におけるシャッター機能であることを特徴とする請求項１１又は１２記載のプログラム。
【請求項１５】
前記複数の機能は、カメラ撮影におけるフラッシュのオン機能及びオフ機能であることを特徴とする請求項１３記載のプログラム。
【発明の詳細な説明】
【技術分野】
【０００１】
本発明は、予め所定のキーに割り当てられている所定の機能を、ユーザが所望する他のキーに割り当てることができる情報処理端末装置、情報処理端末装置の制御方法及びプログラムに関する。
【背景技術】
【０００２】
現在、携帯電話のマルチメディア化の発達により、カメラ機能付きの携帯電話が一般化している。その一方、携帯電話の薄型化の要求もあり、カメラをキー側筐体（各種操作キー（操作ボタンも含む）が備えられた筐体）に実装することが薄型化に有利であることから、キー側筐体にカメラが実装された携帯電話が多く開発されている（例えば、特許文献１参照）。
【０００３】
しかしながら、キー側筐体にカメラが実装されると、図８に示すように、ユーザがカメラ撮影する時に、携帯電話のキー側筐体８を持つ手の指でカメラ１を覆ってしまうという問題が生じる。これは、キー側筐体８において、図３に示すようにカメラ１がヒンジ部分９近くに実装されることと、図７に示すようにシャッターキーに割り当てられた“決定キー（通常、所定の機能の実行を決定する際に操作されるキー）”５もヒンジ部分９近くに配置されることとを原因としている。そして、この問題を回避するために、カメラをヒンジ部分近く以外の中央やマイク近くに配置すると、更にカメラを手で覆う可能性を増加させてしまい、一方で、“決定キー”の位置を中央やマイク近くに配置すれば、通話時やウェブコンテンツ利用時のキー操作を行いにくくなる。
【０００４】
上記問題を解決するために、例えば、従来技術例である特許文献２、３に開示されている技術を用いるなどして、予め設定されているシャッターキーを、複数のキーのうち他のキー（例えば、ユーザにとって押し易いキー）に変更可能にすることも考えられるが、この場合、ユーザがシャッターキーを所望のキーに変更した後、どのキーに変更したのかを忘れてしまう可能性がある。
【０００５】
上記ではカメラのシャッターキーを例として説明したが、カメラのシャッターキー以外にも、デフォルトで予め所定の機能が設定されている（割り当てられている）キーを、ユーザが、所望の他のキーに変更したいという要望もある。そして、このような場合にも、ユーザが、所望のキーに変更した後、どのキーに変更したのかを忘れてしまう可能性がある。
【特許文献１】特開２００５−６５２３５号公報
【特許文献２】特開２００２−１４１９７８号公報
【特許文献３】特開２００４−２９７５５３号公報
【発明の開示】
【発明が解決しようとする課題】
【０００６】
本発明は、上記事情に鑑みてなされたものであり、ユーザが、所定の機能が予め設定されているキーを他の所望のキーに変更した場合に、そのキーをユーザが容易に認識できる情報処理端末装置、情報処理端末装置の制御方法及びプログラムを提供することを目的とする。
【課題を解決するための手段】
【０００７】
かかる目的を達成するために、請求項１記載の発明は、ユーザが各種操作を行うための複数のキーを有する情報処理端末装置であって、所定のキーに予め割り当てられている所定の機能を、ユーザが所望する他のキーに割り当てる割り当て変更手段と、割り当て変更手段で所定の機能が割り当てられたキーを、ユーザに対して報知するための報知手段と、を有することを特徴とする。
【０００８】
請求項２記載の発明は、請求項１記載の発明において、報知手段は、割り当て変更手段で所定の機能が割り当てられたキーを明示する文言の表示、及び、割り当て変更手段で所定の機能が割り当てられたキーに対応して設けられたバックライトの点灯のうち少なくとも１つにより報知することを特徴とする。
【０００９】
請求項３記載の発明は、請求項２記載の発明において、割り当て変更手段が、複数の機能をユーザが所望する複数のキーにそれぞれ割り当て、かつ、報知手段が、複数の機能がそれぞれ割り当てられた複数のキーに対応して設けられた各バックライトの点灯により報知する場合、報知手段は、各バックライトの光量及び色調のうち少なくとも１つがそれぞれ異なるように各バックライトの点灯を制御することを特徴とする。
【００１０】
請求項４記載の発明は、請求項１又は２記載の発明において、所定の機能は、カメラ撮影におけるシャッター機能であることを特徴とする。
【００１１】
請求項５記載の発明は、請求項３記載の発明において、複数の機能は、カメラ撮影におけるフラッシュのオン機能及びオフ機能であることを特徴とする。
【００１２】
請求項６記載の発明は、ユーザが各種操作を行うための複数のキーを有する情報処理端末装置の制御方法であって、所定のキーに予め割り当てられている所定の機能を、ユーザが所望する他のキーに割り当てる割り当て変更ステップと、割り当て変更ステップで所定の機能が割り当てられたキーを、ユーザに対して報知するための報知ステップと、を有することを特徴とする。
【００１３】
請求項７記載の発明は、請求項６記載の発明において、報知ステップは、割り当て変更ステップで所定の機能が割り当てられたキーを明示する文言の表示、及び、割り当て変更ステップで所定の機能が割り当てられたキーに対応して設けられたバックライトの点灯のうち少なくとも１つであることを特徴とする。
【００１４】
請求項８記載の発明は、請求項７記載の発明において、割り当て変更ステップで複数の機能をユーザが所望する複数のキーにそれぞれ割り当て、かつ、報知ステップで複数の機能がそれぞれ割り当てられた複数のキーに対応して設けられた各バックライトの点灯により報知する場合、報知ステップは、各バックライトの光量及び色調のうち少なくとも１つがそれぞれ異なるように各バックライトの点灯を制御することを特徴とする。
【００１５】
請求項９記載の発明は、請求項６又は７記載の発明において、所定の機能は、カメラ撮影におけるシャッター機能であることを特徴とする。
【００１６】
請求項１０記載の発明は、請求項８記載の発明において、複数の機能は、カメラ撮影におけるフラッシュのオン機能及びオフ機能であることを特徴とする。
【００１７】
請求項１１記載の発明は、ユーザが各種操作を行うための複数のキーを有する装置を制御するためのプログラムであって、所定のキーに予め割り当てられている所定の機能を、ユーザが所望する他のキーに割り当てる割り当て変更処理と、割り当て変更処理で所定の機能が割り当てられたキーを、ユーザに対して報知するための報知処理と、を装置に実行させることを特徴とする。
【００１８】
請求項１２記載の発明は、請求項１１記載の発目において、報知処理として、割り当て変更処理で所定の機能が割り当てられたキーを明示する文言を表示する処理、及び、割り当て変更処理で所定の機能が割り当てられたキーに対応して設けられたバックライトを点灯する処理のうち少なくとも１つを装置に実行させることを特徴とする。
【００１９】
請求項１３記載の発明は、請求項１２記載の発明において、割り当て変更処理で複数の機能をユーザが所望する複数のキーにそれぞれ割り当てる処理を装置に実行させ、かつ、報知処理で複数の機能がそれぞれ割り当てられた複数のキーに対応して設けられた各バックライトを点灯する処理を装置に実行させる場合、報知処理として、各バックライトの光量及び色調のうち少なくとも１つがそれぞれ異なるように制御して各バックライトを点灯する処理を装置に実行させることを特徴とする。
【００２０】
請求項１４記載の発明は、請求項１１又は１２記載の発明において、所定の機能は、カメラ撮影におけるシャッター機能であることを特徴とする。
【００２１】
請求項１５記載の発明は、請求項１３記載の発明において、複数の機能は、カメラ撮影におけるフラッシュのオン機能及びオフ機能であることを特徴とする。
【発明の効果】
【００２２】
本発明によれば、ユーザが、所定の機能が予め設定されているキーを他の所望のキーに変更した場合に、そのキーをユーザが容易に認識することが可能となる。
【発明を実施するための最良の形態】
【００２３】
以下、本発明を実施するための最良の形態について添付図面を参照して詳細に説明する。
【実施例１】
【００２４】
本発明の情報処理端末装置の実施例１である折り畳み式携帯電話（移動体通信端末装置）について説明する。本実施例の折り畳み式携帯電話は、図２に示すように、各種表示が行われる表示部２を備えた上側筐体１１と、各種操作が行われる操作部（操作キー群。数字キー７やサイドキー６など）を備えた下側筐体（キー側筐体）８とがヒンジ部９を介して接続され、折り畳み（開閉）可能に構成されている。また、本実施例の折り畳み式携帯電話は、図３に示すように、上側筐体１１の背面中央には小型の表示部１２が備えられ、下側筐体（キー側筐体）８の背面のヒンジ部９近傍にはカメラ１が備えられている。
【００２５】
図１は本実施例の折り畳み式携帯電話の要部構成を示すブロック図である。１はカメラ、２は表示部、３はキー操作やカメラ１の動作、表示部２を制御するＬＳＩ（大規模集積回路）、４はキーマトリクスであり、図１に示す通りの接続で構成される。また、キーマトリクス４には、各キーにそれぞれ対応するバックライトが備えられており、このバックライトの点灯のＯＮ／ＯＦＦは、ＬＳＩ３により制御される。
【００２６】
なお、図１には図示していないが、本実施例の折り畳み式携帯電話は、上記１〜４の各部に加え、アンテナ、基地局を介して相手端末との間で音声信号等の送受信を行うＲＦ送受信部、音声信号の符号化処理や復号化処理を行う信号処理部、各種プログラム及び固定データが格納されるＲＯＭ（リードオンメモリ）、音声が出力されるスピーカ、音声が入力されるマイク、上記各部を統括的に制御するＣＰＵ、外部機器等と接続するためのインターフェース、ＣＰＵにより処理されたデータが一時的に格納されたり、インターフェースを介して外部より入力されるデータが格納されたりするＲＡＭ（ランダムアクセスメモリ）、などを有して構成される。
【００２７】
図４は、本実施例の折り畳み式携帯電話の制御動作を示すフローチャートである。以下に説明する本実施例の制御動作は、上記ＲＯＭに格納される制御プログラムに従ってＣＰＵにより実行される。なお、以下の説明では、本実施例の折り畳み式携帯電話において、デフォルトでは、シャッターキー機能が“決定キー（通常、所定の機能の実行を決定する際に操作されるキー）”５に割り当てられており、ユーザが、シャッターキーが“決定キー”５の位置では押しづらいと判断して、これを任意の別のキーに変更する場合とする。
【００２８】
本実施例の折り畳み式携帯電話のカメラ機能がユーザ操作により起動されると（ステップＳ１／ＹＥＳ）、上側筐体１１に備えられた表示部２にカメラのプレビュー画面が表示される（ステップＳ２）。
【００２９】
カメラ起動中のプレビュー画面から“メニューキー”が押下されると（ステップＳ３／ＹＥＳ）、ＬＳＩ３はその押下（キーマトリクス４の出力信号）を認識し、表示部２に、例えば「セルフタイマー」や「コントラスト調整」といったカメラの各種補助機能をユーザに選択させるための機能選択画面を表示する（ステップＳ４）。
【００３０】
この機能選択画面内には「シャッターキー変更」の選択肢が設けられており、この選択肢が選択されて“決定キー”５が押下されると（ステップＳ５／ＹＥＳ）、ＬＳＩ３はその押下（キーマトリクス４の出力信号）を認識し、表示部２に対し、例えば「シャッターキーに割り当てる任意のキーを押下して下さい」といった文言を表示する信号を出力する。そして、表示部２には、上記文言がユーザに対して表示される（ステップＳ６）。
【００３１】
上記文言の表示中に、ユーザにより所望の押し易いキー（例えば図２に示す数字キー７中の数字の〈５キー〉）が押下されると（ステップＳ７／ＹＥＳ）、ＬＳＩ３はその押下（キーマトリクス４の出力信号）を認識し、シャッターキーの割り当てをデフォルトの“決定キー”から、ユーザにより押下された数字の〈５キー〉に変更する（ステップＳ８）。
【００３２】
キーの変更後、自動的又はユーザによる終了操作により、再びプレビュー画面の表示に戻るが、この時、ＬＳＩ３は、例えば「シャッターキーは〈５キー〉です」といった文言を表示する信号を表示部２に出力するとともに、バックライトを点灯（点滅も含む）させる制御信号をキーマトリクス４中の数字の〈５キー〉に出力する。これにより、図５に示すように、表示部２のプレビュー画面には「シャッターキーは〈５キー〉です」といった文言が表示され、かつ、数字の〈５キー〉のバックライトのみが点灯する（ステップＳ９）。
【００３３】
このような報知手段（文言表示手段及びバックライト点灯手段）により、ユーザは、自分で変更したキーを容易に認識することができる。ここでの説明では、文言の画面表示とバックライトの点灯との両方により、変更後のキーを報知するようにしたが、これらのうちいずれか１つによる報知でもよい。
【００３４】
なお、上記本実施例では、予めシャッターキーに割り当てる候補を、例えば“決定キー”５と“数字キー”７というように２種類準備し、カメラ起動時のプレビュー画面から“メニューキー”にて「シャッターキー変更」を選択、決定すると、“決定キー”５と“数字キー”７とが交互に変更されるようにしてもよい。
【００３５】
また、上記本実施例では、予めシャッターキーに割り当てる候補を、例えば“決定キー”５、“サイドキー”６、“数字キー”７というように複数準備し、カメラ起動時のプレビュー画面から“メニューキー”にて「シャッターキー変更」を選択すると、上記予め準備された候補キー５，６，７が表示され、これらを選択、決定すると、選択されたキーがシャッターキーに変更されるようにしてもよい。
【実施例２】
【００３６】
次に、本発明の情報処理端末装置の実施例２である折り畳み式携帯電話（移動体通信端末装置）について説明する。本実施例の折り畳み式携帯電話の構成・動作は、上記実施例１の図１〜４において説明したものと基本的に同様であるので、ここでの説明は省略する。
【００３７】
上記実施例１では、予め所定のキーに設定された一の機能（シャッター機能）を、ユーザが所望する一のキーに割り当てる場合について説明したが、本実施例２では、複数の機能をユーザが所望する複数のキーにそれぞれ割り当てる場合について説明する。以下の説明では、カメラ撮影時のフラッシュを例とし、「フラッシュ有り（フラッシュ使用機能、フラッシュＯＮ機能）」と「フラッシュ無し（フラッシュ非使用機能、フラッシュＯＦＦ機能）」とをそれぞれ別々のキーに割り当てる場合である。
【００３８】
本実施例２は、上記実施例１で説明した図４と同様に、カメラ機能がユーザ操作により起動されると（ステップＳ１１／ＹＥＳ）、上側筐体１１に備えられた表示部２にカメラのプレビュー画面が表示される（ステップＳ１２）。
【００３９】
カメラ起動中のプレビュー画面から“メニューキー”が押下されると（ステップＳ１３／ＹＥＳ）、ＬＳＩ３はその押下（キーマトリクス４の出力信号）を認識し、表示部２に、例えば「セルフタイマー」や「コントラスト調整」といったカメラの各種補助機能をユーザに選択させるための機能選択画面を表示する（ステップＳ１４）。
【００４０】
この機能選択画面内には「フラッシュ設定」の選択肢が設けられており、この選択肢が選択されて“決定キー”５が押下されると（ステップＳ１５／ＹＥＳ）、ＬＳＩ３はその押下（キーマトリクス４の出力信号）を認識し、表示部２に対し、例えば「“フラッシュ有り”に割り当てる任意のキーを押下して下さい」といった文言を表示する信号を出力する。そして、表示部２には、上記文言がユーザに対して表示される（ステップＳ１６）。
【００４１】
上記文言の表示中に、ユーザにより所望の押し易いキー（例えば図２に示す数字キー７中の数字の〈１キー〉）が押下されると（ステップＳ１７／ＹＥＳ）、ＬＳＩ３はその押下（キーマトリクス４の出力信号）を認識し、“フラッシュ有り”の割り当てを、ユーザにより押下された数字の〈１キー〉に変更する（ステップＳ１８）。
【００４２】
“フラッシュ有り”が数字の〈１キー〉に割り当てられた後、ＬＳＩ３は、表示部２に対し、例えば「“フラッシュ無し”に割り当てる任意のキーを押下して下さい」といった文言を表示する信号を出力する。そして、表示部２には、上記文言がユーザに対して表示される（ステップＳ１９）。
【００４３】
上記文言の表示中に、ユーザにより所望の押し易いキー（例えば図２に示す数字キー７中の数字の〈３キー〉）が押下されると（ステップＳ２０／ＹＥＳ）、ＬＳＩ３はその押下（キーマトリクス４の出力信号）を認識し、“フラッシュ無し”の割り当てを、ユーザにより押下された数字の〈３キー〉に変更する（ステップＳ２１）。
【００４４】
キーの変更後、自動的又はユーザによる終了操作により、再びプレビュー画面の表示に戻るが、この時、ＬＳＩ３は、例えば「“フラッシュ有り”は〈１〉キー、“フラッシュ無し”は〈３キー〉です」といった文言を表示する信号を表示部２に出力するとともに、バックライトを所定の光量で点灯（点滅も含む）させる制御信号をキーマトリクス４中の数字の〈１キー〉及び〈３〉キーに出力する。これにより、図５と同様に、表示部２のプレビュー画面には「“フラッシュ有り”は〈１〉キー、“フラッシュ無し”は〈３キー〉です」といった文言が表示され、かつ、例えば数字の〈１キー〉のバックライトは強い光量で点灯（又は点滅）し、また、数字の〈３キー〉のバックライトは〈１キー〉のバックライトよりも弱い光量で点灯する（ステップＳ２２）。なお、光量の差ではなく、バックライトの色調をそれぞれ変化させることにより、〈１キー〉と〈３キー〉とを区別するようにしてもよい。
【００４５】
このような報知手段（文言表示手段及びバックライト点灯手段）により、ユーザは、自分で割り当てたキーを容易に認識することができる。ここでの説明では、文言の画面表示とバックライトの点灯との両方により、変更後のキーを報知するようにしたが、これらのうちいずれか１つによる報知でもよい。また、バックライトの点灯による報知では、“フラッシュ有り”の〈１〉キーのみバックライトを点灯させ、“フラッシュ無し”の〈３キー〉はバックライトを点灯させない（光量０＝非点灯）ようにしてもよい。
【００４６】
なお、上記本実施例２では、２つの機能（フラッシュ使用機能／フラッシュ非使用機能）をそれぞれ別々のキー（数字の〈１キー〉／数字の〈３キー〉）に割り当てる場合について説明したが、３つ以上の機能をそれぞれ別々のキーに割り当てて、それらのキーを上記文言の画面表示やバックライトの点灯により報知することもできる。この場合のバックライトの点灯による報知も、上述したように、各バックライトの光量がそれぞれ異なる（光量０＝非点灯も含む）ように点灯したり、あるいは、各バックライトの色調がそれぞれ異なるように点灯したりすることが好ましい。
【００４７】
以上説明したように、本発明の実施例１，２によれば、ユーザが、所定の機能が予め設定されているキーを他の所望のキーに変更した場合に、そのキーをユーザが容易に認識することが可能となるので、操作の利便性が向上する。
【００４８】
以上、本発明の各実施例について説明したが、上記各実施例の記載に限定されるものではなく、その要旨を逸脱しない範囲において種々の変形が可能である。例えば、上記実施例１，２において報知手段は、文言の画面表示やバックライトの点灯のようにユーザの視覚に訴えるものとしたが、ユーザの聴覚や触覚に訴えるもの（例えば、音声出力で報知、キーの形状等の変化で報知）で構成したものでも良い。
【産業上の利用可能性】
【００４９】
本発明は、所定の機能使用時に操作するキーやボタンを、予め設定されているものからユーザが所望するものに変更できるので、操作部（キーやボタン）を有する装置や機器全般に適用できる。
【図面の簡単な説明】
【００５０】
【図１】本発明の実施例１に係る折り畳み式携帯電話の要部構成を示すブロック図である。
【図２】本発明の実施例１に係る折り畳み式携帯電話の内側の外観を示す斜視図である。
【図３】本発明の実施例１に係る折り畳み式携帯電話の外側の外観を示す斜視図である。
【図４】本発明の実施例１に係る折り畳み式携帯電話の動作を示すフローチャートである。
【図５】本発明の実施例１に係る折り畳み式携帯電話の内側の外観を示す正面図である。
【図６】本発明の実施例２に係る折り畳み式携帯電話の動作を示すフローチャートである。
【図７】カメラ撮影時における折り畳み式携帯電話の内側の状態を示す斜視図である。
【図８】カメラ撮影時における折り畳み式携帯電話の外側の状態を示す斜視図である。
【符号の説明】
【００５１】
１    カメラ
２    表示部
３    ＬＳＩ
４    キーマトリクス
５    決定キー（操作キーの一例）
６    サイドキー（操作キーの一例）
７    数字キー（操作キーの一例）
８    下側筐体（キー側筐体）
９    ヒンジ部
１０    マイク
１１    上側筐体
１２    小型の表示部
【図１】
2008176719.tif 000003
【図２】
2008176719.tif 000004
【図３】
2008176719.tif 000005
【図４】
2008176719.tif 000006
【図５】
2008176719.tif 000007
【図６】
2008176719.tif 000008
【図７】
2008176719.tif 000009
【図８】
2008176719.tif 000010